(57)【要約】【課題】重要な画像の録画を漏らさず高画質で、記憶容量の少ない録画装置で録画可能な画像監視システムの提供。【解決手段】本発明は、防犯目的に画像を録画する場合に、重要な画像は人の動き及び人物特定に必要な顔写真であり、固定された背景はさほど重要ではないので、重要な部位の画像のみを切り出して標準画質で録画することを特徴とする。【選択図】図１
2016195362.tif 000002
【特許請求の範囲】
【請求項１】
防犯目的の画像監視システムにおいて、
対象物を撮影する高解像センサと
対象物の動きを検出する動き検出部と、
動きから録画範囲を指定する録画範囲指定部と、
指定範囲の画像を変換する範囲画像解像度変換部とを設けたことを特徴とする画像監視システム。
【請求項２】
請求項１に記載の画像監視システムにおいて、
範囲画像を標準画質で録画する録画装置と、
範囲画像と全画面を切り替えて表示する表示装置を設け、
全画面画像と動き画像の表示を切り替えられることを特徴とする画像監視システム。
【発明の詳細な説明】
【技術分野】
【０００１】
本発明は、画像監視システムに係わり、犯罪発生後に映像の録画を再生して、発生の状況を検証し、また、保存されている映像の録画を再生して、発生した犯罪を検証するとともに映像の録画から、犯人を特定するような防犯目的に最適の画像監視システムに関する。
【背景技術】
【０００２】
従来、防犯目的に設置されている画像監視システムは、監視システムにおいて標準画質とされる横６４０ドット、縦４８０ドットの画像で表示するのが一般的であるが、解像度が十分では無い為に被写体がカメラから離れると画像が荒くなり、犯人を特定するのが困難になる画像が録画される。これを解決する手段として高画質の画像を録画するものが特許文献１に記載されている。
【先行技術文献】
【特許文献】
【０００３】
【特許文献１】特開2000-175177号公報
【発明の概要】
【発明が解決しようとする課題】
【０００４】
上記従来技術では、高画質の画像を録画する為には、高画質に対応した画像入力を持つ記憶容量の多い録画装置が必要となり装置が高価となるという問題が有った。また録画容量を減らす為に録画周期を長くするという手段を取ると、重要な画像の録画を漏らすという問題があった。
【０００５】
そこで本発明の目的は、重要な画像の録画を漏らさず高画質で、記憶容量の少ない録画装置で録画可能な画像監視システムを提供することにある。
【課題を解決するための手段】
【０００６】
上記目的を達成するために、本発明は、防犯目的の画像監視システムにおいて、対象物を撮影する高解像センサと、対象物の動きを検出する動き検出部と、動きから録画範囲を指定する録画範囲指定部と、指定範囲の画像を変換する範囲画像解像度変換部を設けたことを特徴とする。
【発明の効果】
【０００７】
このように構成した本発明によれば、高画質で撮影し、動きのあった範囲の画像だけを切り出し標準画質に変換する事により、高画質な画像を標準画質の画像録画装置に録画する事が可能となるので、防犯目的に高画質な画像を長時間録画する装置を、安価に提供することができる。
【図面の簡単な説明】
【０００８】
【図１】本発明に関わる、画像監視システムの第１実施形態を示す図である。
【図２】本発明に関わる、画像監視システムの画像処理方法を示す図である。
【図３】本発明に関わる、画像監視システムの画像処理方法を示す図である。
【図４】本発明に関わる、画像監視システムの画像処理方法を示す図である。
【図５】本発明に関わる、画像監視システムの画像処理方法を示す図である。
【発明を実施するための形態】
【０００９】
以下、本発明の画像監視システムに関する実施形態を図１図２図３図４図５に基づいて説明する。
【００１０】
標準的な画像監視システムでは、標準画質とされる横６４０ドット、縦４８０ドットで画像を撮影し録画している。しかしこの解像度では遠距離で使用すると画像が荒くなり人物の顔等が精細に映らず、顔等を明確に写す為に近距離で使用すると、撮影範囲が狭くなり必要な画像が映らない事が有る。これを改善するためには、動いている部位のみを標準画質で録画するシステムが有効である。
【００１１】
図１において、カメラ１に内蔵された高解像センサ２は、被写体９をレンズ８で結像させが、標準画質とされる横６４０ドット、縦４８０ドットの数倍の解像度の高精細画像として撮影しているが、これは高解像センサ２で撮影した画像から動きの有る部分を切り出すためには監視エリア全体の撮影が必要だからである。
【００１２】
本システムでは、この高精細画像から動きのある部分を抽出して、その部分のみを標準画質とされる横６４０ドット、縦４８０ドットの解像度に変換し、高精細ではない安価な録画装置に録画する。
【００１３】
図２の(1)は一コマ目２１の画像であり、図２の(2)は二コマ目２２の画像である。
【００１４】
移動検出部３では高解像センサ２で撮影した画像の一コマ目２１と二コマ目２２の比較を行い、物体の移動を検知する処理を行う。
【００１５】
この処理を効率的に行う為に、画面を小さな方形のセルに分割し、現在の画像である二コマ目２２の各セル内の画像が、一つ前の画像である一コマ目２１のどの位置に存在するかの確認を行う。
【００１６】
二コマ目２２のセル２２ｃに存在する部分画像２２ａが一コマ目２１では、位置は異なるが、部分画像２１ａが同一の形状をしているので、部分画像２１ａが部分画像２２ａの位置に移動したと判断する。
【００１７】
同様にセル２２ｄ内の部分画像２１ｂが部分画像２２ｂの位置に移動したと判断する。
【００１８】
この時に動いた距離を図３に示す動きマトリックス２４に書き込む。この例では部分画像２１ｂから部分画像２２ｂへの移動は分割したセル１個分の移動をしているので、動き数値２３ｂには１と記入する。同様に物体２１ａから２２ａへの移動を移動数値２３ａに０．５として記入している。
【００１９】
録画範囲指定部４では、動きマトリクス２４に書き込まれた移動数値の中で、移動レベル設定４ａで指定する数値以上を選択し、これを長方形で取り囲む。移動レベル設定４ａが例えば０．１以上に設定されていた場合、移動数値２３ａ２３ｂが選択されるので、図４の選択画面２４の中に選択範囲２４ａを設定する。
【００２０】
範囲画像切り出し部５では高解像センサ２で撮影した前回画像２０の画像から、選択範囲２５ａの範囲の画像のみを切り出す。
【００２１】
範囲画像サイズ変換部６では、切り出された画像を標準画質の解像度に変換する。
【００２２】
標準画質の画像は伝送路６ａで画質録画装置１０に伝送し、ディスク１０ｂに格納する。
【００２３】
全画面画像サイズ変換部７では、高解像センサ２の高解像度画像を、標準画質の解像度に全て変換し、伝送路７ａで標準画質録画装置１０に伝送し、ディスク１０ａに格納する。
【００２４】
表示装置１３では表示機１４に、標準釦１５が押された場合はディスク１０ａの全画面画像を、詳細釦が押された場合はディスク１０ｂの切り出された画像を表示する。
【００２５】
これにより、標準釦では図５の(1)標準画像が表示され、全体の動作が把握でき、詳細釦では図５の(2)に示す詳細画像が表示され、動きのあった被写体９の体や顔が詳細に表示される。
【００２６】
なお、動き画像だけが必要で全体画像が不要な場合は、全画面画像解像度変換部７、伝送路７ａ、ディスク１１を無くせばさらに安価な構成となる。
【００２７】
以上のように、本実施形態は、表示機１４に動く物体だけを詳細に表示出来るが、伝送路６ａ、標準画質録画装置１０及び表示装置１３は標準画質の設備で構成することが可能であり、防犯に最適な画像を安価に提供することが可能となる。
【符号の説明】
【００２８】
１      カメラ部
２      高解像センサ
３      移動検出部
４      録画範囲指定部
４ａ    移動レベル設定
５      範囲画像切り出し部
６      範囲画像変換部
７      全画面画像解像度変換部
６ａ  ７ａ  伝送路
８      レンズ
９      被写体
１０    録画装置
１０ａ  １０ｂ  ディスク
１３    表示装置
１４    表示部
１５    標準釦
１６    詳細釦
２１    一コマ目
２１ａ  ２１ｂ  ２２ａ  ２２ｂ  個別画像
２２ｃ  ２２ｄ  セル
２２    二コマ目
２３    動きマトリクス
２３ａ  ２３ｂ  動き数値
２４    選択画面
２４ｂ  選択範囲
２５    標準画像
２６    詳細画像
【図１】
2016195362.tif 000003
【図２】
2016195362.tif 000004
【図３】
2016195362.tif 000005
【図４】
2016195362.tif 000006
【図５】
2016195362.tif 000007